(57)【要約】【課題】防塵・防汚性などに加えて通気性をさらに向上させると共に、開口部の開閉操作を一層容易に行えるようにした衣服を提供する。【解決手段】着用者の上半身を覆う上着１２を少なくとも備えた密閉可能な衣服（ヤッケ）１０において、上着１２の前身頃１４Ｆまたは後身頃１４Ｂに背丈方向において所定長さの斜めの開口部２６を形成すると共に、開口部２６を持出し３０で閉塞自在に構成した。即ち、通常時は開口部２６を持出し３０で閉塞する一方、通気性を必要とする場合には開口部２６を持出し３０で閉塞しない、換言すれば、開口部２６を露出させるようにして通気性を確保する。【選択図】図１
2013122095.tif 000002
【特許請求の範囲】
【請求項１】
着用者の上半身を覆う上着を少なくとも備えた密閉可能な衣服において、前記上着の前身頃または後身頃に背丈方向において所定長さの斜めの開口部を形成すると共に、前記開口部を持出しで閉塞自在に構成したことを特徴とする衣服。
【請求項２】
前記開口部を前記後身頃に設けたことを特徴とする請求項１記載の衣服。
【請求項３】
前記持出しを前記開口部の上端と側面とに縫着して取り付けたことを特徴とする請求項１または２記載の衣服。
【請求項４】
前記持出しを前記開口部を介して前記上着の内側に収納自在に取り付けたことを特徴とする請求項１から３のいずれかに記載の衣服。
【請求項５】
前記持出しを前記上着に固定自在に構成したことを特徴とする請求項１から４のいずれかに記載の衣服。
【請求項６】
前記持出しに摘みを設けたことを特徴とする請求項１から５のいずれかに記載の衣服。
【請求項７】
前記摘みを前記持出しの側縁部の略中央位置から前記背丈方向の下側の間の任意の位置に取り付けたことを特徴とする請求項６記載の衣服。
【請求項８】
前記持出しに留め具を取り付けると共に、前記摘みを前記留め具の近傍に取り付けたことを特徴とする請求項７記載の衣服。
【請求項９】
前記持出しをフラシで覆う構成としたことを特徴とする請求項１から８のいずれかに記載の衣服。
【請求項１０】
前記フラシを前記持出しの上下と側方とに縫着して取り付けたことを特徴とする請求項９記載の衣服。
【請求項１１】
前記フラシに前記上着から離間させられた通気口を形成したことを特徴とする請求項１０記載の衣服。
【請求項１２】
前記上着の前身頃または後身頃に前記背丈方向と直交する横方向において第２の開口部を形成し、前記第２の開口部を第２の持出しで閉塞自在にすると共に、前記第２の持出しを第２のフラシで覆う構成としたことを特徴とする請求項１から１１のいずれかに記載の衣服。
【発明の詳細な説明】
【技術分野】
【０００１】
この発明は衣服に関し、より詳しくは着用者の少なくとも上半身を覆う上着を備えた密閉可能な衣服に関する。
【背景技術】
【０００２】
従来より、防塵・防汚や防風・防寒を目的とする密閉可能な衣服、即ち、密閉性の高い衣服として、例えばヤッケが広く知られている。ヤッケは密閉度を高めるため、袖口にゴムを入れて手首と密着させたり、フードを取り付けて頭部を覆うことができるようにするなどして構成される。このように、袖口などに形成される隙間をできるだけ少なくする工夫がなされていることから、袖口などの隙間から上着の内部に侵入するような通気は殆どない。
【０００３】
ところで、ヤッケのような密閉性の高い衣服を冷蔵室に出入りする作業で着用したり、夏山から平地に下山した場合など夏の暑いときでも着用することがある。その場合、防塵・防汚などの機能を保持しつつ通気性を確保できることが望ましいが、そのような通気性も確保したヤッケとして、例えば下記の特許文献１に記載された技術を挙げることができる。特許文献１記載の技術にあっては、着用者の上半身を覆う上着を少なくとも備えた密閉可能な衣服において、前記上着に通気のための開口部を設けている。
【０００４】
特許文献１記載の技術によれば、上着の内部の湿って暖かい空気を開口部から積極的に放出する、いわゆるふいご効果が期待でき、通気性が確保できる一方、持出しによって開口部を閉塞することができるので、防塵・防汚や防風・防寒の機能も確保することができる。
【先行技術文献】
【特許文献】
【０００５】
【特許文献１】特開２０１１−８０１６６号公報
【発明の概要】
【発明が解決しようとする課題】
【０００６】
しかしながら、夏の暑い日の着用などを考えると、通気性をさらに良くして一層快適な着心地を実現したいという要望がある。また、開口部は上着の背中側（後身頃）に設けられるため、持出しによる開口部の開閉操作は背中側に手を回して行わなければならず、必ずしも容易に行えるというものではなかった。
【０００７】
そこで、この発明の目的は上記した課題を解決し、防塵・防汚性などに加えて通気性をさらに向上させると共に、開口部の開閉操作を一層容易に行えるようにした衣服を提供することにある。
【課題を解決するための手段】
【０００８】
上記した課題を解決するために、請求項１にあっては、着用者の上半身を覆う上着を少なくとも備えた密閉可能な衣服において、前記上着の前身頃または後身頃に背丈方向において所定長さの斜めの開口部を形成すると共に、前記開口部を持出しで閉塞自在に構成した。
【０００９】
請求項２に係る衣服にあっては、前記開口部を前記後身頃に設ける如く構成した。
【００１０】
請求項３に係る衣服にあっては、前記持出しを前記開口部の上端と側面とに縫着して取り付ける如く構成した。
【００１１】
請求項４に係る衣服にあっては、前記持出しを前記開口部を介して前記上着の内側に収納自在に取り付ける如く構成した。
【００１２】
請求項５に係る衣服にあっては、前記持出しを前記上着に固定自在に構成した。
【００１３】
請求項６に係る衣服にあっては、前記持出しに摘みを設ける如く構成した。
【００１４】
請求項７に係る衣服にあっては、前記摘みを前記持出しの側縁部の略中央位置から前記背丈方向の下側の間の任意の位置に取り付ける如く構成した。
【００１５】
請求項８に係る衣服にあっては、前記持出しに留め具を取り付けると共に、前記摘みを前記留め具の近傍に取り付ける如く構成した。
【００１６】
請求項９に係る衣服にあっては、前記持出しをフラシで覆う構成とした。
【００１７】
請求項１０に係る衣服にあっては、前記フラシを前記持出しの上下と側方とに縫着して取り付ける如く構成した。
【００１８】
請求項１１に係る衣服にあっては、前記フラシに前記上着から離間させられた通気口を形成する如く構成した。
【００１９】
請求項１２に係る衣服にあっては、前記上着の前身頃または後身頃に前記背丈方向と直交する横方向において第２の開口部を形成し、前記第２の開口部を第２の持出しで閉塞自在にすると共に、前記第２の持出しを第２のフラシで覆う構成とした。
【発明の効果】
【００２０】
請求項１に係る衣服にあっては、上着の前身頃または後身頃に背丈方向において所定長さの斜めの開口部を形成すると共に、開口部を持出しで閉塞自在に構成したので、開口部を持出しで閉塞しない、換言すれば、開口部を露出させることで、上着の内部の湿って暖かい空気を開口部から積極的に放出する、いわゆるふいご効果が期待でき、暑い空間であっても快適な活動ができる。特に、開口部を上着の前身頃または後身頃に背丈方向において斜めに形成したので、例えば特許文献１に記載の技術のように、開口部を背丈方向において垂直に真直ぐ形成する場合に比べて開口を大きく（長く）取ることができ、通気性がより向上する。
【００２１】
また、着用者が開口部の開閉操作をする際に、開口部を背丈方向に斜めに形成することで、開口部を真直ぐ形成する場合よりも、開口部、より具体的には持出しに手を回しやすくなり、開閉操作が容易になる。
【００２２】
また、開口部を持出しで閉塞自在に構成したので、開口部を持出しで閉塞する場合は上着の密閉度が高められるため、防塵・防汚性および防風・防寒性の機能を得ることができる。
【００２３】
請求項２に係る衣服にあっては、開口部を後身頃に設けるように構成したので、上記した効果に加え、着用者の身体の中でも特に皮脂腺や汗腺が集中し、脂や汗の分泌量が比較的多い背中側の通気性を確実に確保することができる。また、上着の背中側は腕の動きに応じて左右に引っ張られるため、そこに開口部を設けることで開閉が容易、具体的には作業による動きと連動して空気の出し入れが行われ易くなり、通気性をより確実に確保できる。
【００２４】
請求項３に係る衣服にあっては、持出しを開口部の上端と側面とに縫着して取り付けるように構成したので、上記した効果に加え、開口部を露出させた状態においても開口部の上端は持出しによって覆われるため、上方からの雨や埃等の侵入を阻止することができる。
【００２５】
また、開口部の上端を持出しで縫着したことで、持出しを上着の内側に折り返して上着の内部に収納する場合、持出しと上着との縫着部分（開口部の上端部分）がねじれ、開口部が立体化して浮き上がり、通気性がより向上する。一方、露出した開口部を再び閉塞するときには、開口部が立体化して浮き上がっているので、内側に折り返して収納された持出しを引き出し易くなる。
【００２６】
請求項４に係る衣服にあっては、持出しを開口部を介して上着の内側に収納自在に取り付けるように構成したので、上記した効果に加え、持出しを上着の内側に収納するだけで、開口部を容易に露出させることができる。
【００２７】
請求項５に係る衣服にあっては、持出しを上着に固定自在に構成したので、上記した効果に加え、開口部を閉塞させるときも露出させるときも、持出しを上着に固定することにより、開口部が閉塞させられた状態または露出させられた状態を容易に維持でき、よって開口部の閉塞時には、防塵・防汚性および防風・防寒性の機構を効果的に発揮することができる一方、開口部の露出時には、通気性をより一層確実に確保することができる。
【００２８】
請求項６に係る衣服にあっては、持出しに摘みを設けるように構成したので、上記した効果に加え、摘みを掴んで持出しを操作することができ、開口部の開閉操作が容易になる。
【００２９】
請求項７に係る衣服にあっては、摘みを持出しの側縁部の略中央位置から背丈方向の下側の間の任意の位置に取り付けるように構成したので、請求項６で述べた効果に加え、摘みが着用者の手の回しやすい部分に取り付けられることになり、開口部の開閉操作が一層容易になる。
【００３０】
請求項８に係る衣服にあっては、持出しに留め具を取り付けると共に、摘みを留め具の近傍に取り付けるように構成したので、請求項７で述べた効果に加え、摘みを持ち上げる際、その力が摘みを介して留め具に伝わり易くなり、その結果、持出しの留め具を上着側の留め具から離間させ易くなる。
【００３１】
請求項９に係る衣服にあっては、持出しをフラシで覆う構成としたので、上記した効果に加え、上方のみならず正面や側方からの雨や埃などに対してもその侵入を阻止することができる。
【００３２】
請求項１０に係る衣服にあっては、フラシを持出しの上下と側方とに縫着して取り付けるように構成したので、請求項９で述べた効果に加え、雨や埃などの侵入を一層阻止することができる。
【００３３】
請求項１１に係る衣服にあっては、フラシに上着から離間させられた通気口を形成するように構成したので、請求項１０で述べた効果に加え、開口部を露出した際に十分な通気性を確保できると共に、通気口から手を挿入して持出しを操作できるので、開口部の開閉操作が容易になる。
【００３４】
請求項１２に係る衣服にあっては、上着の前身頃または後身頃に背丈方向と直交する横方向において第２の開口部を形成し、第２の開口部を第２の持出しで閉塞自在にすると共に、第２の持出しを第２のフラシで覆う構成としたので、上記した効果に加え、通気性が一層向上すると共に、第２の開口部に対しても持出しやフラシが設けられるので、防塵・防汚性や防風・防寒性も確保することができる。
【図面の簡単な説明】
【００３５】
【図１】この発明の第１実施例に係る衣服（ヤッケ）の背面図である。
【図２】図１に示す衣服の正面図である。
【図３】図１に示す開口部付近を拡大して模式的に示す模式分解斜視図である。
【図４】図１に示す持出しを上着の内側に収納した状態を示す、図１と同様な背面図である。
【図５】図４に示す開口部付近を拡大して模式的に示す、図３と同様な模式分解斜視図である。
【図６】図１に示す開口部付近の他の例を模式的に示す、図３と同様な模式分解斜視図である。
【図７】図６に示す開口部付近を模式的に示す、図５と同様な模式分解斜視図である。
【図８】図１に示す摘み部分を拡大して模式的に示す模式拡大図である。
【図９】この発明の第２実施例に係る衣服の背面図である。
【図１０】図９に示す衣服の他の例を示す衣服の正面図である。
【図１１】図９に示す衣服の他の例を示す衣服の正面図である。
【図１２】図９に示す衣服の他の例を示す衣服（ズボン）の正面図である。
【図１３】図９に示す衣服の他の例を示す衣服（ズボン）の背面図である。
【発明を実施するための形態】
【００３６】
以下、添付図面に即してこの発明に係る衣服を実施するための形態について説明する。
【実施例１】
【００３７】
図１はこの発明の第１実施例に係る衣服の背面図であり、図２は図１に示す衣服の正面図である。尚、この明細書において、上下左右あるいは前後などの記載は、衣服の着用者にとっての上下左右方向あるいは前後方向を意味する。
【００３８】
図１および図２において、符号１０は衣服、具体的にはヤッケ（ウィンドヤッケ。アノラック）を示す。ヤッケ１０は、図示しない着用者の少なくとも上半身を覆う上着１２からなる。ヤッケ１０は、上記の如く、基本的には防塵・防汚や防風・防寒を目的とする衣服であるため、密閉可能にする工夫、換言すれば、密閉度を高めるような工夫が種々なされている。
【００３９】
具体的に説明すると、ヤッケ１０を構成する上着１２は、例えば合成繊維、より具体的にはナイロン（登録商標）またはポリエステルからなり、その表面は撥水加工などの処理が適宜に施される。上着１２は、着用者の胸部や腹部などを覆う上着本体１４と、上着本体１４に縫着される左右の袖（長袖）１６Ｌ，１６Ｒを備える。
【００４０】
袖１６Ｌ，１６Ｒの袖口１６Ｌａ，１６Ｒａの周縁には、ゴムなどの弾性部材（具体的にはゴム紐。図１，２で見えず）が取り付けられる。これにより、袖口１６Ｌａ，１６Ｒａは適宜に絞られて手首と密着させられ、袖口１６Ｌａ，１６Ｒａの隙間は少なくなる。
【００４１】
上着本体１４の裾１４ｂの周縁には、ストッパ２２ａ付きの裾紐２２が取り付けられる。これにより、着用者が裾紐２２を引っ張って裾１４ｂを適宜に絞った後、その状態をストッパ２２ａを用いて維持することで、裾１４ｂは着用者の腰と密着させられ、よって裾１４ｂの隙間が少なくなる。尚、図１，２は裾１４ｂが裾紐２２によって絞られる前の状態を示す。
【００４２】
上着本体１４は、前身頃１４Ｆと後身頃１４Ｂからなる。図２に示す如く、前身頃１４Ｆの襟１４ａから裾１４ｂにかけて上着１２を着脱するためのファスナ１８が取り付けられる。従って、上着１２を着用した後にファスナ１８を完全に閉めることで、首周り付近の隙間は少なくなる。尚、図２はファスナ１８を閉めた状態を示す。
【００４３】
上記の如く、ヤッケ１０は、袖口１６Ｌａ，１６Ｒａや首周りなどに形成される隙間をできるだけ少なくして密閉可能にする工夫、換言すれば、密閉性を高める工夫がなされている。このため、隙間から上着１２の内部に侵入するような通気は殆どなく、防塵・防汚性および防風・防寒性に優れる。
【００４４】
ヤッケ１０の説明を続けると、図１に示す如く、上着本体１４の後身頃１４Ｂは、肩から腰付近に亘る逆台形状を呈する中央の生地片と、この生地片の左右に位置する生地片の計３枚の生地片からなる。以下、左側の生地片を「左後身頃１４ＢＬ」といい、中央部の生地片を「中央後身頃１４ＢＣ」、右側の生地片を「右後身頃１４ＢＲ」という。
【００４５】
左後身頃１４ＢＬと中央後身頃１４ＢＣ、および中央後身頃１４ＢＣと右後身頃１４ＢＲは、一部分を除き、肩から裾１４ｂに亘って縫着されて縫い合わされる。
【００４６】
上記の如く、左後身頃１４ＢＬと中央後身頃１４ＢＣ、および中央後身頃１４ＢＣと右後身頃１４ＢＲの一部分が縫着されないことで、そこには着用時の上着１２の内部空間と外部とを連通する開口部２６が形成される。具体的には左後身頃１４ＢＬと中央後身頃１４ＢＣ、および中央後身頃１４ＢＣと右後身頃１４ＢＲとを縫い合わせた縫合線１４ｃ、１４ｄ沿いにそれぞれ所定長さの開口部２６が複数個（具体的には２つ）設けられる。
【００４７】
また、中央後身頃１４ＢＣは肩から腰付近に亘って逆台形状に形成されるので、この逆台形状部の脚に相当する縫合線１４ｃ、１４ｄ沿いに形成される開口部２６も斜めとなる。即ち、開口部２６は背丈方向（着用者の身長方向）において、その下端２６ｂが上端２６ａよりも腰（裾１４ｂ）の中心側になるように斜めに形成される。換言すれば、２つの開口部２６の離間距離が背丈方向の下（裾１４ｂ）側に行くにつれて減少するように背面視Ｖ字状に形成される。尚、図１において開口部２６自体は後述する持出し３０に隠れて見えない。
【００４８】
図３は開口部２６付近を模式的に示す模式分解斜視図である。以下、２つの開口部２６のうち左側に設けられた開口部２６を例に説明するが、左右の開口部２６は左右対称のため、以下の説明は右側の開口部２６にも妥当する。
【００４９】
図１および図３を参照しつつ説明すると、上着１２の中央後身頃１４ＢＣであって開口部２６に相当する部位には、開口部２６を閉塞自在な持出し（フラップ）３０が取り付けられる（縫着される）。持出し３０は略台形状を呈すると共に、上着１２と同様に合成繊維、具体的にはナイロンまたはポリエステル製であり、撥水加工などの処理が適宜に施される。
【００５０】
台形状を呈する持出し３０の下底に相当する一辺３０ａは開口部２６と略同様の長さ（より正確には開口部２６よりも若干長い）であり、この一辺３０ａが中央後身頃１４ＢＣに縫着される。一方、持出し３０の上底に相当する他辺３０ｂの長さは一片３０ａのそれに比してやや短く、上着１２には縫着されない。また、一辺３０ａと他辺３０ｂとの距離、即ち、持出し３０の左右方向の長さ（高さ）は、一辺３０ａや他辺３０ｂに比べてかなり短く設定される。
【００５１】
持出し３０は開口部２６の上端２６ａと側面２６ｃに縫着して取り付けられる。具体的には持出し３０の上部３０ｃは開口部２６の上端２６ａのやや上方の位置から斜め下方に向かって縫着され、持出し３０の一辺３０ａは開口部２６の側面２６ｃの内側（背中中心側）であって、側面２６ｃに沿って縫着される。尚、持出し３０の下部３０ｄは縫着されない。
【００５２】
持出し３０の一辺３０ａを縫着するのは、一辺３０ａを折り目にして開口部２６を持出し３０によって開閉するためである。一方、持出し３０の上部３０ｃを開口部２６の上端２６ａ側で縫着するのは、例えば上方からの雨や埃などが開口部２６から侵入しないようにするためである。特に本発明では、開口部２６を斜めに形成したことにより、開口を大きく（長く）取ることができるようになったが、開口を大きく取ることによって逆に雨や埃などが上着１２の内部に侵入しやすくなる。しかしながら、持出し３０の上部３０ｃを開口部２６の上端２６ａ側で縫着することで、持出し３０が開口部２６を上方から覆う形となって上方からの雨や埃などの侵入を阻止することができる。
【００５３】
また、持出し３０の上部３０ｃを開口部２６の上端２６ａ側で縫着することで、持出し３０を上着１２の内側に折り返して収納する際（開口部２６を露出させる際）、持出し３０と上着１２の縫着部分（開口部２６の上端２６ａ部分）がねじれて、換言すれば、縫着部分が開口部２６を開く方向に持ち上がって浮き上がり、開口部２６が立体的に開口することになるため、より通気性が向上する。即ち、縫着部分のねじれによって開口部２６が立体的に盛り上がって開口面積が大きくなるので、より通気性が向上するようになる（図４参照）。
【００５４】
また、上記の如く、開口部２６が露出しているときには、開口部２６が立体的に盛り上がって開口面積が大きくなっているので、この状態から開口部２６を閉塞する場合、内側に折り返して収納された持出し３０を引き出し易くなる。
【００５５】
持出し３０には、図１，３に示す如く、中央後身頃１４ＢＣと左後身頃１４ＢＬとを密着させるための留め具３２が取り付けられており、これにより持出し３０を上着１２に固定自在に構成される。留め具３２は、具体的には面ファスナ（マジック・テープ（登録商標））からなる。尚、図において、留め具３２の見えない部分は必要に応じて破線で示す。
【００５６】
詳説すると、持出し３０の内面（正確には、左後身頃１４ＢＬと接触する面）３０ｃには、留め具３２である面ファスナのフック側（以下「フック側面ファスナ」といい、符号３２ａで示す）が縫い付けられる。この明細書で「内面」や「内側」とは基本的に、着用されたヤッケ１０において着用者の身体に近い方の部分を意味し、「外面」や「外側」とは着用者の身体から遠い方あるいは露出する側を意味する。
【００５７】
一方、左後身頃１４ＢＬであって持出し３０のフック側面ファスナ３２ａと対向する位置には、面ファスナのループ側（以下「第１のループ側面ファスナ」といい、符号３２ｂ１で示す）が縫い付けられる。
【００５８】
尚、図１に示す如く、フック側面ファスナ３２ａは持出し３０の略中央の位置とそれよりも上側と下側の位置にそれぞれ設けられる。また、第１のループ側面ファスナ３２ｂ１はフック側面ファスナ３２ａにそれぞれ対向する位置に設けられる。従って、フック側面ファスナ３２ａと第１のループ側面ファスナ３２ｂ１を掛止（接合）させることで、持出し３０と左後身頃１４ＢＬは密着させられる。即ち、後身頃１４Ｂには開口部２６が形成されるものの、持出し３０が留め具３２を介して左後身頃１４ＢＬに密着させられて固定されるため、開口部２６は閉塞されることとなり、よって上着１２の密閉度は維持されて上記した防塵・防汚性および防風・防寒性の機能は保持される。
【００５９】
尚、図３にあっては、理解の便宜のため、フック側面ファスナ３２ａと第１のループ側面ファスナ３２ｂ１とを離間させて示したが、通常これらは掛止されて密着させられる。
【００６０】
持出し３０はさらに、開口部２６を介して（通って）上着１２の内側に収納自在に取り付けられる。
【００６１】
図４は持出し３０を上着１２の内側に折り返して収納した状態を示す、図１と同様な背面図である。また、図５は図４に示す開口部２６付近を模式的に示す、図３と同様な模式分解斜視図である。
【００６２】
図４および図５に示す如く、持出し３０は、一辺３０ａ付近を折り目にして上着１２の内側に折り曲げ可能となるように、上着１２の中央後身頃１４ＢＣに取り付けられる。そのため、持出し３０を上着１２の内側に折り返すと、開口部２６は露出させられる。
【００６３】
また、中央後身頃１４ＢＣの内面１４ＢＣａであって、持出し３０を折り曲げたときにフック側面ファスナ３２ａと対向する位置には、第２のループ側面ファスナ３２ｂ２が縫い付けられる。
【００６４】
これにより、持出し３０を上着１２の内側に折り曲げた後、フック側面ファスナ３２ａと第２のループ側面ファスナ３２ｂ２を掛止させることで、持出し３０は中央後身頃１４ＢＣの内面１４ＢＣａに密着させられて固定される、換言すれば、開口部２６を露出させた状態が留め具３２によって維持される。
【００６５】
開口部２６が露出させられると、図５に矢印Ａで示す如く、外部の空気が上着１２の内部に開口部２６を介して侵入すると共に、上着１２の内部の空気は開口部２６を介して外部に放出（排出）される、即ち、上着１２の通気性が確保される。
【００６６】
図６は開口部付近の他の例を模式的に示す模式分解斜視図である。また、図７は図６に示す開口部付近を模式的に示す模式分解斜視図であり、開口部が露出した状態を示す。尚、開口部２６を閉塞させたときのヤッケ１０の背面の外観は、図１に示すものと略同じであるため、図示を省略する。
【００６７】
この例の特徴は、左後身頃１４ＢＬの中央後身頃１４ＢＣ側端部が折り返されると共に、折り返されて外側に面した面上に留め具３２（面ファスナ３２ｂ１２）が取り付けられることである。従って、持出し３０で開口部２６を閉塞する場合は、図６に示す如く、持出し３０の面ファスナ３２ａを左後身頃１４ＢＬの外面の面ファスナ３２ｂ１１と左後身頃１４ＢＬの折り返された外側の面の面ファスナ３２ｂ１２の両方に係止する。このように、左後身頃１４ＢＬの端部が折り返されて持出し３０と密着されているので、閉塞時、外部からの通気を確実に遮断することができる。一方、図７の矢印Ｂに示す如く、開口部２６を露出するときには、持出し３０を上着の内側に折り返すことで、上着１２の通気性が確保される。
【００６８】
図１の説明に戻ると、持出し３０の側縁部である他辺３０ｂには摘み（タブ）３４が設けられる。摘み３４は、図８に示す如く、着用者が容易に掴むことができるように持出し３０の他辺３０ｂから外側に向けて突出するように取り付けられる。
【００６９】
摘み３４は持出し３０によって閉塞状態になっている開口部２６を露出する際に特に役立つものであり、摘み３４を掴んで持出し３０を引っ張る（背中から離れる方向に持ち上げる）ことで、容易に持出し３０のフック側面ファスナ３２ａを第１のループ側面ファスナ３２ｂ１から離間させることができる。また、持出し３０が上着１２の内側に収納され、開口部２６が露出されている状態から、開口部２６を閉塞するために持出し３０を上着１２の内側から引っ張り出す際にも摘み３４を掴むことで容易に引っ張り出すことができる。
【００７０】
摘み３４は他辺３０ｂの中央位置（他辺３０ｂの背丈方向における中央位置）よりもやや下側であって、フック側面ファスナ３２ａが取り付けられている位置と略同じ位置に取り付けられる。摘み３４を他辺３０ｂの中央位置よりもやや下側に取り付けたのは、この位置が着用者が手を回し易い位置だからである。即ち、例えば他辺３０ｂの上方に摘み３４を取り付けると、着用者は摘み３４を掴むのに手を背中の上方まで回さなければならず、開閉操作が非常に難しくなるためである。
【００７１】
また、摘み３４をフック側面ファスナ３２ａと略同じ位置に取り付けたのは、摘み３４を持ち上げる際、その力が摘み３４を介してフック側面ファスナ３２ａに伝わり易くなり、その結果、フック側面ファスナ３２ａを第１のループ側面ファスナ３２ｂ１等から離間させ易くなるためである。即ち、例えば摘み３４をフック側面ファスナ３２ａから離れた位置に取り付けると、フック側面ファスナ３２ａを第１のループ側面ファスナ３２ｂ１等から離間させるのにより大きな力が必要になると共に、摘み３４を持ち上げる際、持出し３０や衣服１０がねじれるなどして、持出し３０や衣服１０の不必要な部分に不要な力がかかってしまう。しかし、摘み３４をフック側面ファスナ３２ａの近傍に取り付けることで、そのような問題を回避することができる。
【００７２】
以上のように、持出し３０の側縁部に相当する他辺３０ｂに摘み３４を設けることで、容易に持出し３０を持ち上げることができ、開口部２６を露出させるのが容易になる。特に、摘み３４を他辺３０ｂの中央位置よりも背丈方向において下側に取り付けたので、着用者は摘み３４に手を回し易くなると共に、摘み３４を持出し３０のフック側面ファスナ３２ａと略同じ位置に取り付けたので、摘み３４を持ち上げる力がフック側面ファスナ３２ａに作用し易くなり、フック側面ファスナ３２ａを第１のループ側面ファスナ３２ｂ１等から離間させ易くなる。
【００７３】
以上の如く、第１実施例に係る衣服（ヤッケ）１０にあっては、上着１２の前身頃１４Ｆまたは後身頃１４Ｂに背丈方向において所定長さの斜めの開口部２６を形成すると共に、開口部２６を持出し３０で閉塞自在に構成したので、開口部２６を持出し３０で閉塞しない、換言すれば、開口部２６を露出させることで、上着１２の内部の湿って暖かい空気を開口部２６から積極的に放出する、いわゆるふいご効果が期待でき、暑い空間であっても快適な活動ができる。特に、開口部２６を上着１２の前身頃１４Ｆまたは後身頃１４Ｂに背丈方向において斜めに形成したので、例えば開口部２６を背丈方向において垂直に真直ぐ形成する場合に比べて開口を大きく（長く）取ることができ、通気性がより向上する。
【００７４】
また、着用者が開口部２６の開閉操作をする際に、開口部２６を背丈方向に斜めに形成することで、開口部２６を真直ぐ形成する場合よりも、開口部２６、より具体的には持出し３０に手を回しやすくなり、開閉操作が容易になる。
【００７５】
また、開口部２６を持出し３０で閉塞自在に構成したので、開口部２６を持出し３０で閉塞する場合は上着１２の密閉度が高められるため、防塵・防汚性および防風・防寒性の機能を得ることができる。
【００７６】
また、開口部２６を後身頃１４Ｂに設けるように構成したので、着用者の身体の中でも特に皮脂腺や汗腺が集中し、脂や汗の分泌量が比較的多い背中側の通気性を確実に確保することができる。また、上着１２の背中側は腕の動きに応じて左右に引っ張られるため、そこに開口部２６を設けることで開閉が容易、具体的には作業による動きと連動して空気の出し入れが行われ易くすることができ、通気性をより確実に確保できる。
【００７７】
また、持出し３０を開口部２６の上端２６ａと側面２６ｃとに縫着して取り付けるように構成したので、開口部２６を露出させた状態においても開口部２６の上端２６ａは持出し３０によって覆われるため、上方からの雨や埃等の侵入を阻止することができる。
【００７８】
また、開口部２６の上端２６ａを持出し３０で縫着したことで、持出し３０を上着１２の内側に折り返して上着１２に収納する場合、持出し３０と上着１２との縫着部分（開口部２６の上端２６ａ部分）がねじれ、開口部２６が立体化して浮き上がり、通気性がより向上する。一方、露出した開口部２６を閉塞するときには、開口部２６が立体化して浮き上がっているので、内側に折り返して収納された持出し３０を引き出し易くなる。
【００７９】
また、持出し３０を開口部２６を介して上着１２の内側に収納自在に取り付けるように構成したので、持出し３０を上着１２の内側に収納するだけで、開口部２６を容易に露出させることができる。
【００８０】
また、持出し３０を上着１２に固定自在に構成した（留め具３２を取り付けた）ので、開口部２６を閉塞させるときも露出させるときも、持出し３０を上着１２に固定することにより、開口部２６が閉塞させられた状態または露出させられた状態を容易に維持でき、よって開口部２６の閉塞時には、防塵・防汚性および防風・防寒性の機構を効果的に発揮することができる一方、開口部２６の露出時には、通気性をより一層確実に確保することができる。
【００８１】
また、持出し３０に摘み３４を設けるように構成したので、摘み３４を掴んで持出し３０を操作することができ、開口部２６の開閉操作が容易になる。
【００８２】
また、摘み３４を持出し３０の側縁部（他辺）３０ｂの略中央位置から背丈方向の下側の間の任意の位置に取り付けるように構成したので、摘み３４が着用者の手の回しやすい部分に取り付けられることになり、開口部２６の開閉操作が一層容易になる。
【００８３】
また、持出し３０に留め具３２（フック側面ファスナ３２ａ）を取り付けると共に、摘み３４を留め具３２（フック側面ファスナ３２ａ）の近傍に取り付けるように構成したので、摘み３４を持ち上げる際、その力が摘み３４を介して留め具３２（フック側面ファスナ３２ａ）に伝わり易くなり、その結果、持出し３０の留め具３２（フック側面ファスナ３２ａ）を上着１２側の留め具３２（第１のループ側面ファスナ３２ｂ１）から離間させ易くなる。
【００８４】
尚、実施例では、開口部２６は背丈方向において、背中の真中よりやや上側から下方向（着用者の左右の肩甲骨より下側）にかけて形成されるが、必ずしもこの位置に形成される必要はなく、それよりも上側に形成されても良い。ただし、より下側に形成された方が着用者は開口部２６を操作し易くなる。
【００８５】
また、開口部２６は、左後身頃１４ＢＬと中央後身頃１４ＢＣ、および中央後身頃１４ＢＣと右後身頃１４ＢＲとを縫い合わせた縫合線１４ｃ、１４ｄに沿って形成されるが、これに限定されるものではなく、背中（後身頃１４Ｂ）のいずれかの位置に細長の切り込みを形成するようにしても良い。即ち、左後身頃１４ＢＬと中央後身頃１４ＢＣ、または中央後身頃１４ＢＣと右後身頃１４ＢＲとの縫合線１４ｃ、１４ｄ沿いに未縫着部を設け、これを開口部２６としなければならないというものではない。
【００８６】
また、開口部２６は、上着１２の背中側、すなわち、後身頃１４Ｂに設けたが、これに限定されるものではなく、前身頃１４Ｆに設けても良い。
【００８７】
また、実施例では、持出し３０は、台形状を呈しているが、必ずしもこれに限定されるものではなく、例えば矩形状であっても良く、さらには角の取れた曲線状または半円状であっても良い。即ち、持出し３０は、着用者が掴んで開口部２６を開閉できるものであれば良く、その形状は問わない。
【００８８】
また、実施例において、衣服としてヤッケを例に挙げて説明したが、それに限定されるものではなく、要は密閉性が高い衣服であれば良く、例えば上下一体のつなぎなどであっても良い。
【００８９】
また、持出し３０の留め具３２を面ファスナからなるように構成したが、それに代えてスライドファスナなどであっても良い。
【００９０】
また、摘み３４は、矩形状を呈しているが、これに限定されるものではなく、着用者が掴むことができ、これにより持出し３０を持ち上げたり、引き出したりできれば良く、摘み３４の形状や大きさ、素材などは問わない。
【実施例２】
【００９１】
次いで、この発明の第２実施例に係る衣服について説明する。
【００９２】
図９は第２実施例に係る衣服１００の背面図である。尚、以下では、第１実施例と共通の構成については同一の符号を付して説明を省略する。
【００９３】
第１実施例と相違する点に焦点をおいて説明すると、第２実施例では持出し３０をフラシ３６で覆う構成としている。フラシ３６は略矩形状を呈すると共に、持出し３０を覆う必要があることから、薄く、かつ持出し３０より大きな面積を有する。また、フラシ３６は上着１２と同様に合成繊維、具体的にはナイロンまたはポリエステル製であり、撥水加工などの処理が適宜に施される。
【００９４】
フラシ３６は持出し３０の上部３０ｃの上方に位置する上部３６ｃと、持出し３０の下部３０ｄの下方に位置する下部３６ｄと、持出し３０の側方にあたる一辺３０ａ側に位置する側面３６ａによって上着１２に縫着される。このように、持出し３０をフラシ３６によって覆う構成としたので、雨や埃などの侵入を一層効果的に阻止することができる。
【００９５】
一方、フラシ３６の、持出し３０の一辺３０ａ側とは反対側の面、即ち、持出し３０の他辺３０ｂ側の側面３６ｂは縫着されずに開口している。尚、図９では、理解の便宜のため、持出し３０等を破線で示したが、持出し３０等は実際にはフラシ３６によって外からは見えないようになっている。
【００９６】
フラシ３６は側面３６ｂ側の縫着されていない開口部分が上着１２の表面に対して浮き上がる構成となっている。即ち、フラシ３６の開口部分が上着１２から離間させられ、通気口を形成するようになっている。具体的にはフラシ３６の上部３６ｃと上着１２との縫着位置とフラシ３６の下部３６ｄと上着１２との縫着位置との間の距離（長さ）が、フラシ３６の側面３６ｂの長さよりも短くなるように構成される。このため、フラシ３６の開口部分である通気口が上着１２の表面に対して浮き上がる構成となる。
【００９７】
このように、フラシ３６の開口部分が上着１２に対して離間して浮き上がり、通気口を形成するようになっているため、持出し３０がフラシ３６で覆われているとしても、通気性は十分確保される。
【００９８】
また、フラシ３６が上着１２から離間して浮き上がっているので、通気口から手を容易に挿入でき、持出し３０をフラシ３６で覆ったことによって開口部２６の開閉作業がやり難くなるということはない。
【００９９】
また、第２実施例では、図９に示す如く、開口部２６とは別の第２の開口部４０が形成される。第２の開口部４０は、上着１２の後身頃１４Ｂに形成されるが、開口部２６とは異なり、背丈方向と直交する横方向に形成される。また、第２の開口部４０は第２の持出し４４によって閉塞自在とされると共に、第２の持出し４４は第２のフラシ４８で覆われる。尚、図９は第２の開口部４０が第２の持出し４４によって露出されている状態を示す。また、破線で示した第２の開口部４０や第２の持出し４４は実際には第２のフラシ４８によって外からは見えないようになっている。
【０１００】
この例では、開口部２６に加えて、第２の開口部４０を設けるため、通気性がより向上するが、第２の開口部４０を特に着用者の肩甲骨付近に相当する中央後身頃１４ＢＣの上部に形成したので、皮脂腺や汗腺が集中し、脂や汗の分泌量が多い背中の通気性を高めることができ、より快適な着心地を実現できる。
【０１０１】
第２の持出し４４は持出し３０と同様に略台形状を呈するが、持出し３０と異なり、第２の開口部４０の下方に位置し、下底に相当する一辺４４ａのみが縫着される。従って、この一辺４４ａを折り目にして、第２の開口部４０を開閉する。尚、第２の持出し４４は、持出し３０と同様に、留め具（面ファスナ）によって上着１２に固定される。
【０１０２】
第２のフラシ４８は第２の持出し４４の上方と側方で縫着されるが、背丈方向において第２のフラシ４８の下側は縫着されずに開口している。尚、第２のフラシ４８のその他の詳細については上記したフラシ３６と同様であるので説明は省略する。
【０１０３】
このように、開口部２６に加えて第２の開口部４０を設けることにより、通気性がより向上すると共に、第２の持出し４４によって第２の開口部４０を開閉自在にすることができるので、通気性の向上と防塵・防汚性や防風・防寒性を確保することができる。さらに、第２のフラシ４８を設けることにより、第２の開口部４０が露出しているときであっても雨や埃等の侵入を一層効果的に阻止することができると共に、上記したフラシ３６と同様に、第２のフラシ４８を上着１２から離間させて通気口を形成しているので、第２のフラシ４８で第２の持出し４４を覆う構成としても、通気性を十分確保することができる。
【０１０４】
図１０は第２実施例に係る衣服の他の例を示したものである。この例の特徴は、前身頃１４Ｆに第２の開口部５０、第２の持出し５４および第２のフラシ５８を設けたことである。第２の開口部５０、第２の持出し５４および第２のフラシ５８は、ファスナ１８を挟んで左右側それぞれに設けられる。尚、第２の開口部５０、第２の持出し５４および第２のフラシ５８の具体的な構成や機能については、上記した第２の開口部４０、第２の持出し４４および第２のフラシ４８等と同一であるので、詳細な説明は省略する。
【０１０５】
尚、この例では、ファスナ１８を挟んで左右それぞれに第２の開口部５０等を設けているが、例えばファスナを有しない頭から被る形式の衣服などにおいては、前身頃の胸付近に一つの開口部等を設けるようにしても良い。
【０１０６】
図１１は同じく第２実施例に係る衣服の他の例を示したものであるが、この例の特徴は、腕部、即ち左右の袖１６Ｌ，１６Ｒに第２の開口部６０、第２の持出し６４および第２のフラシ６８を設けたことである。具体的には着用者の上腕二頭筋付近に相当する部位に第２の開口部６０等を設け、ここからも通気が可能となっている。尚、第２の開口部６０、第２の持出し６４および第２のフラシ６８の具体的な構成や機能については、上記した第２の開口部４０、第２の持出し４４および第２のフラシ４８等と同一であるので、詳細な説明は省略する。
【０１０７】
尚、この例では、左右の袖１６Ｌ，１６Ｒの着用者の上腕二頭筋付近に相当する部位に第２の開口部６０等を設けたが、これに限定されるものではなく、左右の袖１６Ｌ，１６Ｒの他の任意の位置に設けても良い。
【０１０８】
図１２および１３は上着１２ではなく、ズボン側に開口部７０，８０等を設けた例である。図１２はズボンの膝付近内側に開口部７０および持出し７４を設け、図１３は膝裏付近に開口部８０、持出し８４およびフラシ８８を設けた例である。このように、ズボン側にも開口部７０，８０等を設けることができ、これにより通気性がより向上し、快適な着心地を実現することができる。尚、開口部７０，８０、持出し７４，８４およびフラシ７８，８８の具体的な構成や機能については、上記した第２の開口部４０、第２の持出し４４および第２のフラシ４８等と同一であるので、詳細な説明は省略する。
【０１０９】
以上の如く、第２実施例に係る衣服１００にあっては、持出し３０をフラシ３６で覆う構成としたので、上方のみならず正面や側方からの雨や埃などに対してもその侵入を阻止することができる。
【０１１０】
また、フラシ３６を持出し３０の上下と側方とに縫着して取り付けるように構成したので、雨や埃などの侵入を一層阻止することができる。
【０１１１】
また、フラシ３６に上着１２から離間させられた通気口を形成するように構成したので、開口部２６を露出した際に十分な通気性を確保できると共に、通気口から手を挿入して持出しを操作できるので、開口部２６の開閉操作が容易になる。
【０１１２】
また、上着１２の前身頃１４Ｆまたは後身頃１４Ｂに背丈方向と直交する横方向において第２の開口部４０，５０，６０を形成し、第２の開口部４０，５０，６０を第２の持出し４４，５４，６４で閉塞自在にすると共に、第２の持出し４４，５４，６４を第２のフラシ４８，５８，６８で覆う構成としたので、通気性が一層向上すると共に、第２の開口部４０，５０，６０に対しても持出しやフラシが設けられるので、防塵・防汚性や防風・防寒性も確保することができる。
【０１１３】
尚、以上の説明において、開口部２６や持出し３０、留め具３２等の位置や大きさ、個数などを具体的に示したが、それらは例示であって限定されるものではない。
【符号の説明】
【０１１４】
１０，１００  ヤッケ（衣服）、１２  上着、１４Ｆ  前身頃、１４Ｂ  後身頃、２６  開口部、２６ａ  開口部の上端、２６ｃ  開口部の側面、３０  持出し、３２  留め具、３２ａ  フック側面ファスナ（留め具）、３２ｂ１  第１のループ側面ファスナ（留め具）、３２ｂ２  第２のループ側面ファスナ（留め具）、３４  摘み（タブ）、３６  フラシ、４０，５０，６０  第２の開口部、４４，５４，６４  第２の持出し、４８，５８，６８  第２のフラシ
【図１】
2013122095.tif 000003
【図２】
2013122095.tif 000004
【図３】
2013122095.tif 000005
【図４】
2013122095.tif 000006
【図５】
2013122095.tif 000007
【図６】
2013122095.tif 000008
【図７】
2013122095.tif 000009
【図８】
2013122095.tif 000010
【図９】
2013122095.tif 000011
【図１０】
2013122095.tif 000012
【図１１】
2013122095.tif 000013
【図１２】
2013122095.tif 000014
【図１３】
2013122095.tif 000015
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
着用者の上半身を覆う上着を少なくとも備えた密閉可能な衣服において、前記上着の後身頃に背丈方向において所定長さの斜めの開口部を形成し、前記開口部を持出しで閉塞自在に構成すると共に、前記持出しを前記開口部の上端と左右の側面の一方のみに縫着して取り付けたことを特徴とする衣服。
【請求項２】
前記持出しを前記開口部を介して前記上着の内側に収納自在に取り付けたことを特徴とする請求項１記載の衣服。
【請求項３】
前記持出しを前記上着に固定自在に構成したことを特徴とする請求項１または２記載の衣服。
【請求項４】
前記持出しに摘みを設けたことを特徴とする請求項１から３のいずれかに記載の衣服。
【請求項５】
前記摘みを前記持出しの側縁部の中央位置から前記背丈方向の下側の間の任意の位置に取り付けたことを特徴とする請求項４記載の衣服。
【請求項６】
前記持出しを前記上着に固定するための留め具を前記持出しに取り付けると共に、前記摘みを前記留め具に隣接する位置に取り付けたことを特徴とする請求項５記載の衣服。
【請求項７】
前記持出しをフラシで覆うように前記持出しの上下と左右の側方の一方において前記上着に前記フラシを縫着し、よって前記持出しの左右の側方の他方において前記フラシと前記上着との間に通気口を形成したことを特徴とする請求項１から６のいずれかに記載の衣服。
【請求項８】
前記上着の前身頃または後身頃に前記背丈方向と直交する横方向において第２の開口部を形成し、前記第２の開口部を第２の持出しで閉塞自在にすると共に、前記第２の持出しを第２のフラシで覆う構成としたことを特徴とする請求項７記載の衣服。
【手続補正２】
【補正対象書類名】明細書
【補正対象項目名】０００８
【補正方法】変更
【補正の内容】
【０００８】
上記した課題を解決するために、請求項１にあっては、着用者の上半身を覆う上着を少なくとも備えた密閉可能な衣服において、前記上着の後身頃に背丈方向において所定長さの斜めの開口部を形成し、前記開口部を持出しで閉塞自在に構成すると共に、前記持出しを前記開口部の上端と左右の側面の一方のみに縫着して取り付ける如く構成した。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に係る衣服にあっては、前記持出しを前記開口部を介して前記上着の内側に収納自在に取り付ける如く構成した。
【手続補正６】
【補正対象書類名】明細書
【補正対象項目名】００１２
【補正方法】変更
【補正の内容】
【００１２】
請求項３に係る衣服にあっては、前記持出しを前記上着に固定自在に構成した。
【手続補正７】
【補正対象書類名】明細書
【補正対象項目名】００１３
【補正方法】変更
【補正の内容】
【００１３】
請求項４に係る衣服にあっては、前記持出しに摘みを設ける如く構成した。
【手続補正８】
【補正対象書類名】明細書
【補正対象項目名】００１４
【補正方法】変更
【補正の内容】
【００１４】
請求項５に係る衣服にあっては、前記摘みを前記持出しの側縁部の中央位置から前記背丈方向の下側の間の任意の位置に取り付ける如く構成した。
【手続補正９】
【補正対象書類名】明細書
【補正対象項目名】００１５
【補正方法】変更
【補正の内容】
【００１５】
請求項６に係る衣服にあっては、前記持出しを前記上着に固定するための留め具を前記持出しに取り付けると共に、前記摘みを前記留め具に隣接する位置に取り付ける如く構成した。
【手続補正１０】
【補正対象書類名】明細書
【補正対象項目名】００１６
【補正方法】変更
【補正の内容】
【００１６】
請求項７に係る衣服にあっては、前記持出しをフラシで覆うように前記持出しの上下と左右の側方の一方において前記上着に前記フラシを縫着し、よって前記持出しの左右の側方の他方において前記フラシと前記上着との間に通気口を形成する如く構成した。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
請求項８に係る衣服にあっては、前記上着の前身頃または後身頃に前記背丈方向と直交する横方向において第２の開口部を形成し、前記第２の開口部を第２の持出しで閉塞自在にすると共に、前記第２の持出しを第２のフラシで覆う構成とした。
【手続補正１４】
【補正対象書類名】明細書
【補正対象項目名】００２０
【補正方法】変更
【補正の内容】
【００２０】
請求項１に係る衣服にあっては、上着の後身頃に背丈方向において所定長さの斜めの開口部を形成し、開口部を持出しで閉塞自在に構成すると共に、持出しを開口部の上端と左右の側面の一方のみに縫着して取り付ける如く構成したので、開口部を持出しで閉塞しない、換言すれば、開口部を露出させることで、上着の内部の湿って暖かい空気を開口部から積極的に放出する、いわゆるふいご効果が期待でき、暑い空間であっても快適な活動ができる。特に、開口部を上着の前身頃または後身頃に背丈方向において斜めに形成したので、例えば特許文献１に記載の技術のように、開口部を背丈方向において垂直に真直ぐ形成する場合に比べて開口を大きく（長く）取ることができ、通気性がより向上する。
【手続補正１５】
【補正対象書類名】明細書
【補正対象項目名】００２３
【補正方法】変更
【補正の内容】
【００２３】
また、開口部を後身頃に設けるように構成したので、上記した効果に加え、着用者の身体の中でも特に皮脂腺や汗腺が集中し、脂や汗の分泌量が比較的多い背中側の通気性を確実に確保することができる。また、上着の背中側は腕の動きに応じて左右に引っ張られるため、そこに開口部を設けることで開閉が容易、具体的には作業による動きと連動して空気の出し入れが行われ易くなり、通気性をより確実に確保できる。
【手続補正１６】
【補正対象書類名】明細書
【補正対象項目名】００２４
【補正方法】変更
【補正の内容】
【００２４】
また、持出しを開口部の上端と左右の側面の一方のみに縫着して取り付けるように構成したので、上記した効果に加え、開口部を露出させた状態においても開口部の上端は持出しによって覆われるため、上方からの雨や埃等の侵入を阻止することができる。
【手続補正１７】
【補正対象書類名】明細書
【補正対象項目名】００２６
【補正方法】変更
【補正の内容】
【００２６】
請求項２に係る衣服にあっては、持出しを開口部を介して上着の内側に収納自在に取り付けるように構成したので、上記した効果に加え、持出しを上着の内側に収納するだけで、開口部を容易に露出させることができる。
【手続補正１８】
【補正対象書類名】明細書
【補正対象項目名】００２７
【補正方法】変更
【補正の内容】
【００２７】
請求項３に係る衣服にあっては、持出しを上着に固定自在に構成したので、上記した効果に加え、開口部を閉塞させるときも露出させるときも、持出しを上着に固定することにより、開口部が閉塞させられた状態または露出させられた状態を容易に維持でき、よって開口部の閉塞時には、防塵・防汚性および防風・防寒性の機構を効果的に発揮することができる一方、開口部の露出時には、通気性をより一層確実に確保することができる。
【手続補正１９】
【補正対象書類名】明細書
【補正対象項目名】００２８
【補正方法】変更
【補正の内容】
【００２８】
請求項４に係る衣服にあっては、持出しに摘みを設けるように構成したので、上記した効果に加え、摘みを掴んで持出しを操作することができ、開口部の開閉操作が容易になる。
【手続補正２０】
【補正対象書類名】明細書
【補正対象項目名】００２９
【補正方法】変更
【補正の内容】
【００２９】
請求項５に係る衣服にあっては、摘みを持出しの側縁部の中央位置から背丈方向の下側の間の任意の位置に取り付けるように構成したので、請求項４で述べた効果に加え、摘みが着用者の手の回しやすい部分に取り付けられることになり、開口部の開閉操作が一層容易になる。
【手続補正２１】
【補正対象書類名】明細書
【補正対象項目名】００３０
【補正方法】変更
【補正の内容】
【００３０】
請求項６に係る衣服にあっては、持出しを上着に固定するための留め具を持出しに取り付けると共に、摘みを留め具に隣接する位置に取り付けるように構成したので、請求項５で述べた効果に加え、摘みを持ち上げる際、その力が摘みを介して留め具に伝わり易くなり、その結果、持出しの留め具を上着側の留め具から離間させ易くなる。
【手続補正２２】
【補正対象書類名】明細書
【補正対象項目名】００３１
【補正方法】変更
【補正の内容】
【００３１】
請求項７に係る衣服にあっては、持出しをフラシで覆う構成としたので、上記した効果に加え、上方のみならず正面や側方からの雨や埃などに対してもその侵入を阻止することができる。
【手続補正２３】
【補正対象書類名】明細書
【補正対象項目名】００３２
【補正方法】変更
【補正の内容】
【００３２】
また、持出しの上下と左右の側方の一方において上着にフラシを縫着して取り付けるように構成したので、雨や埃などの侵入を一層阻止することができる。
【手続補正２４】
【補正対象書類名】明細書
【補正対象項目名】００３３
【補正方法】変更
【補正の内容】
【００３３】
また、持出しの左右の側方の他方においてフラシと上着との間に通気口を形成するように構成したので、開口部を露出した際に十分な通気性を確保できると共に、通気口から手を挿入して持出しを操作できるので、開口部の開閉操作が容易になる。
【手続補正２５】
【補正対象書類名】明細書
【補正対象項目名】００３４
【補正方法】変更
【補正の内容】
【００３４】
請求項８に係る衣服にあっては、上着の前身頃または後身頃に背丈方向と直交する横方向において第２の開口部を形成し、第２の開口部を第２の持出しで閉塞自在にすると共に、第２の持出しを第２のフラシで覆う構成としたので、請求項７で述べた効果に加え、通気性が一層向上すると共に、第２の開口部に対しても持出しやフラシが設けられるので、防塵・防汚性や防風・防寒性も確保することができる。
【手続補正２６】
【補正対象書類名】明細書
【補正対象項目名】００８２
【補正方法】変更
【補正の内容】
【００８２】
また、摘み３４を持出し３０の側縁部（他辺）３０ｂの中央位置から背丈方向の下側の間の任意の位置に取り付けるように構成したので、摘み３４が着用者の手の回しやすい部分に取り付けられることになり、開口部２６の開閉操作が一層容易になる。
【手続補正２７】
【補正対象書類名】明細書
【補正対象項目名】００８３
【補正方法】変更
【補正の内容】
【００８３】
また、持出し３０を上着１２に固定するための留め具３２（フック側面ファスナ３２ａ）を持出し３０に取り付けると共に、摘み３４を留め具３２（フック側面ファスナ３２ａ）の近傍、即ち、留め具３２に隣接する位置に取り付けるように構成したので、摘み３４を持ち上げる際、その力が摘み３４を介して留め具３２（フック側面ファスナ３２ａ）に伝わり易くなり、その結果、持出し３０の留め具３２（フック側面ファスナ３２ａ）を上着１２側の留め具３２（第１のループ側面ファスナ３２ｂ１）から離間させ易くなる。
【手続補正２８】
【補正対象書類名】明細書
【補正対象項目名】０１１０
【補正方法】変更
【補正の内容】
【０１１０】
また、フラシ３６を持出し３０の上下と左右の側方の一方において上着１２に縫着して取り付けるように構成したので、雨や埃などの侵入を一層阻止することができる。
【手続補正２９】
【補正対象書類名】明細書
【補正対象項目名】０１１１
【補正方法】変更
【補正の内容】
【０１１１】
また、フラシ３６に上着１２から離間させられた通気口、即ち、持出し３０の左右の側方の他方においてフラシ３６と上着１２との間に通気口を形成するように構成したので、開口部２６を露出した際に十分な通気性を確保できると共に、通気口から手を挿入して持出しを操作できるので、開口部２６の開閉操作が容易になる。